(57)【要約】  マルチデッキエレベータ付き建築物の制御システムにおいては、エレベータ制御部の運転モードに、ダブル運転モードが含まれている。ダブル運転モードでは、複数の第１かご室停止階に対して第１かご室のみが停止され、第１かご室停止階とは異なる複数の第２かご室停止階に対しては第２かご室のみが停止される。また、ビル設備制御部は、第１かご室停止階の電気設備を関連づけて制御する第１グループ制御部と、第２かご室停止階の上記電気設備を関連づけて制御する第２グループ制御部とを有している。
2005051828.tif 000002
【特許請求の範囲】
【請求項１】
第１かご室と上記第１かご室上に位置する第２かご室とを有し建築物本体の昇降路内を昇降されるエレベータかごの昇降を制御するエレベータ制御部、及び
上記建築物本体の各階に設置されている電気設備を制御するビル設備制御部
を備え、
上記エレベータ制御部の運転モードには、複数の第１かご室停止階に対して上記第１かご室のみを停止させ、上記第１かご室停止階とは異なる複数の第２かご室停止階に対しては上記第２かご室のみを停止させるダブル運転モードが含まれており、
上記ビル設備制御部は、上記第１かご室停止階の上記電気設備を関連づけて制御する第１グループ制御部と、上記第２かご室停止階の上記電気設備を関連づけて制御する第２グループ制御部とを有しているマルチデッキエレベータ付き建築物の制御システム。
【請求項２】
上記ビル設備制御部は、対応するテナント毎の上記電気設備を関連づけて制御するテナント制御部をさらに有している請求項１記載のマルチデッキエレベータ付き建築物の制御システム。
【請求項３】
上記エレベータ制御部には、上記第１かご室に設けられた第１かご室電気機器を制御する第１かご室制御部が設けられており、
上記第１かご室制御部は、上記第１かご室電気機器の少なくとも一部について、上記第１グループ制御部からの情報に応じた制御を行うようになっている請求項１記載のマルチデッキエレベータ付き建築物の制御システム。
【請求項４】
上記エレベータ制御部には、上記第２かご室に設けられた第２かご室電気機器を制御する第２かご室制御部が設けられており、
上記第２かご室制御部は、上記第２かご室電気機器の少なくとも一部について、上記第２グループ制御部からの情報に応じた制御を行うようになっている請求項１記載のマルチデッキエレベータ付き建築物の制御システム。
【請求項５】
昇降路が設けられている建築物本体、
上記昇降路内を昇降される第１かご室と、上記第１かご室上に位置する第２かご室とを有し、上記昇降路内を昇降されるエレベータかご、
上記エレベータかごの昇降を制御するエレベータ制御部、
上記建築物本体の各階に設置されている電気設備、及び
上記電気設備を制御するビル設備制御部
を備え、
上記建築物本体は、複数の第１かご室停止階と、上記第１かご室停止階とは異なる複数の第２かご室停止階とを有し、
上記エレベータ制御部の運転モードには、上記第１かご室停止階に上記第１かご室のみを停止させ、上記第２かご室停止階に上記第２かご室のみを停止させるダブル運転モードが含まれており、
上記ビル設備制御部は、上記第１かご室停止階の上記電気設備を関連づけて制御する第１グループ制御部と、上記第２かご室停止階の上記電気設備を関連づけて制御する第２グループ制御部とを有しているマルチデッキエレベータ付き建築物。
【請求項６】
上記電気設備は、セキュリティ機器である請求項５記載のマルチデッキエレベータ付き建築物。
【請求項７】
上記第１かご室停止階と上記第２かご室停止階とで互いに異なるタイプのセキュリティ機器が設置されている請求項６記載のマルチデッキエレベータ付き建築物。
【請求項８】
昇降路が設けられている建築物本体、
第１かご室と上記第１かご室上に位置する第２かご室とを有し、上記昇降路内を昇降されるエレベータかご、
上記エレベータかごの昇降を制御するエレベータ制御部、及び
上記建築物本体の各階に設置されている電気設備
を備え、
上記建築物本体は、複数の第１かご室停止階と、上記第１かご室停止階とは異なる複数の第２かご室停止階とを有し、
上記エレベータ制御部の運転モードには、上記第１かご室停止階に上記第１かご室のみを停止させ、上記第２かご室停止階に上記第２かご室のみを停止させるダブル運転モードが含まれており、
上下に並んだ上記第１かご室停止階間には、上記第２かご室停止階を通過して延びる第１ダクトが設けられており、上下に並んだ上記第２かご室停止階間には、上記第１かご室停止階を通過して延びる第２ダクトが設けられており、
上記第１ダクトには、上記第１かご室停止階の上記電気設備に電気的に接続された第１電気配線が収容され、上記第２ダクトには、上記第２かご室停止階の上記電気設備に電気的に接続された第２電気配線が収容されているマルチデッキエレベータ付き建築物。
【請求項９】
昇降路及び階段が設けられている建築物本体、
第１かご室と上記第１かご室上に位置する第２かご室とを有し、上記昇降路内を昇降されるエレベータかご、及び
上記エレベータかごの昇降を制御するエレベータ制御部
を備え、
上記建築物本体は、複数の第１かご室停止階と、上記第１かご室停止階とは異なる複数の第２かご室停止階とを有し、
上記エレベータ制御部の運転モードには、上記第１かご室停止階に上記第１かご室のみを停止させ、上記第２かご室停止階に上記第２かご室のみを停止させるダブル運転モードが含まれており、
上記階段は、上記第１かご室停止階間を互いに連絡する第１階段と、上記第２かご室停止階間を互いに連絡する第２階段とを有し、
上記第１階段と上記第２階段との間は互いに分離されており、上記第１かご室停止階と上記第２かご室停止階との間で上記階段を利用した移動が規制されているマルチデッキエレベータ付き建築物。
【請求項１０】
上記第１階段と上記第２階段との間は、非常時に連絡可能になっている請求項９記載のマルチデッキエレベータ付き建築物。
【請求項１１】
昇降路が設けられている建築物本体、
第１かご室と上記第１かご室上に位置する第２かご室とを有し、上記昇降路内を昇降されるエレベータかご、及び
上記エレベータかごの昇降を制御するエレベータ制御部
を備え、
上記建築物本体は、複数の第１かご室停止階と、上記第１かご室停止階とは異なる複数の第２かご室停止階とを有し、
上記エレベータ制御部の運転モードには、上記第１かご室停止階に上記第１かご室のみを停止させ、上記第２かご室停止階に上記第２かご室のみを停止させるダブル運転モードが含まれており、
上記第２かご室停止階とその下側に隣接する上記第１かご室停止階との階間距離である第１距離は全て同じであり、上記第２かご室停止階とその上側に隣接する上記第１かご室停止階との階間距離である第２距離は、少なくとも一部の階で変化されているマルチデッキエレベータ付き建築物。
【請求項１２】
第１かご室と上記第１かご室上に位置する第２かご室とを有し、昇降路内を昇降されるエレベータかご、及び
上記エレベータかごの昇降を制御するエレベータ制御部
を備え、
上記エレベータ制御部の運転モードには、複数の第１かご室停止階に対して上記第１かご室のみを停止させ、上記第１かご室停止階とは異なる複数の第２かご室停止階に対しては上記第２かご室のみを停止させるダブル運転モードが含まれており、
上記第１かご室内及び上記第１かご室停止階の乗場の少なくともいずれか一方には、上記第１かご室停止階を行先階として指定するための複数の第１直接指定ボタンを有しかつ上記第２かご室停止階の直接的な指定を不可とした第１指定ボタン装置が設置されており、
上記第２かご室内及び上記第２かご室停止階の乗場の少なくともいずれか一方には、上記第２かご室停止階を行先階として指定するための複数の第２直接指定ボタンを有しかつ上記第１かご室停止階の直接的な指定を不可とした第２指定ボタン装置が設置されており、
上記第１指定ボタン装置には、上記第１直接指定ボタンと組み合わせて操作することにより上記第２かご室停止階を行先階として間接的に指定するための第１間接指定ボタンが設けられており、
上記第２指定ボタン装置には、上記第２直接指定ボタンと組み合わせて操作することにより上記第１かご室停止階を行先階として間接的に指定するための第２間接指定ボタンが設けられているマルチデッキエレベータ。
【発明の詳細な説明】
【技術分野】  この発明は、第１かご室とこの第１かご室上に位置する第２かご室とを有するエレベータかごが昇降路内を昇降されるマルチデッキエレベータ、マルチデッキエレベータが設置されているマルチデッキエレベータ付き建築物、及びその制御システムに関するものである。
【背景技術】  例えば特開平１１−７１０６３号公報には、下かごと、この下かご上に位置する上かごとを有するエレベータかごが昇降路内を昇降される従来のダブルデッキエレベータが示されている。
従来のダブルデッキエレベータの運転モードには、ダブル運転モードとセミダブル運転モードとが含まれている。ダブル運転モードにおいては、下かごが奇数階のみに停止され、上かごが偶数階のみに停止される。セミダブル運転モードにおいては、出発階（通常は１階及び２階）のみダブル運転モードと同様の振り分けが行われ、一旦乗場呼びに応答した後は、下かご及び上かごとも任意階に停止される。また、出発階を１階及び２階とした場合、１、２階間の移動には、エスカレータが使用される。
運転モードは、混雑度に応じて切り換えられる。即ち、混雑度のピーク時には輸送効率の高いダブル運転モードが実施され、ピーク時以外にはセミダブル運転モードが実施される。
しかし、従来の複数のテナントが入居しているビルでは、例えば８〜９階にＡ社、１０〜１４階にＢ社、１５〜１８階にＣ社というように、各テナントが上下に連続する階に入居する。このため、ダブル運転モードを実施しているピーク時には、同じ社内の奇数階と偶数階との間の移動にはダブルデッキエレベータを使用できず、階段を使わざるを得ない。
これに対して、ピーク時にセミダブル運転モードを実施すると、輸送能力が低下し、待ち時間が長くなってしまう。
従って、ダブルデッキエレベータの利用効率を向上させ、利用者にとっての快適性の高めることが求められている。
【発明の開示】
この発明は、上記のような課題を解決するためになされたものであり、利用者の快適性を向上させることができるマルチデッキエレベータ付き建築物、その制御システム、及びマルチデッキエレベータを得ることを目的とする。
この発明によるマルチデッキエレベータ付き建築物の制御システムは、第１かご室と第１かご室上に位置する第２かご室とを有し建築物本体の昇降路内を昇降されるエレベータかごの昇降を制御するエレベータ制御部、及び建築物本体の各階に設置されている電気設備を制御するビル設備制御部を備え、エレベータ制御部の運転モードには、複数の第１かご室停止階に対して第１かご室のみを停止させ、第１かご室停止階とは異なる複数の第２かご室停止階に対しては第２かご室のみを停止させるダブル運転モードが含まれており、ビル設備制御部は、第１かご室停止階の電気設備を関連づけて制御する第１グループ制御部と、第２かご室停止階の電気設備を関連づけて制御する第２グループ制御部とを有している。
また、この発明によるマルチデッキエレベータ付き建築物は、昇降路が設けられている建築物本体、昇降路内を昇降される第１かご室と、第１かご室上に位置する第２かご室とを有し、昇降路内を昇降されるエレベータかご、エレベータかごの昇降を制御するエレベータ制御部、建築物本体の各階に設置されている電気設備、及び電気設備を制御するビル設備制御部を備え、建築物本体は、複数の第１かご室停止階と、第１かご室停止階とは異なる複数の第２かご室停止階とを有し、エレベータ制御部の運転モードには、第１かご室停止階に第１かご室のみを停止させ、第２かご室停止階に第２かご室のみを停止させるダブル運転モードが含まれており、ビル設備制御部は、第１かご室停止階の電気設備を関連づけて制御する第１グループ制御部と、第２かご室停止階の電気設備を関連づけて制御する第２グループ制御部とを有している。
さらに、この発明によるマルチデッキエレベータ付き建築物は、昇降路が設けられている建築物本体、第１かご室と第１かご室上に位置する第２かご室とを有し、昇降路内を昇降されるエレベータかご、エレベータかごの昇降を制御するエレベータ制御部、及び建築物本体の各階に設置されている電気設備を備え、建築物本体は、複数の第１かご室停止階と、第１かご室停止階とは異なる複数の第２かご室停止階とを有し、エレベータ制御部の運転モードには、第１かご室停止階に第１かご室のみを停止させ、第２かご室停止階に第２かご室のみを停止させるダブル運転モードが含まれており、上下に並んだ第１かご室停止階間には、第２かご室停止階を通過して延びる第１ダクトが設けられており、上下に並んだ第２かご室停止階間には、第１かご室停止階を通過して延びる第２ダクトが設けられており、第１ダクトには、第１かご室停止階の電気設備に電気的に接続された第１電気配線が収容され、第２ダクトには、第２かご室停止階の電気設備に電気的に接続された第２電気配線が収容されている。
さらにまた、この発明によるマルチデッキエレベータ付き建築物は、昇降路及び階段が設けられている建築物本体、第１かご室と第１かご室上に位置する第２かご室とを有し、昇降路内を昇降されるエレベータかご、及びエレベータかごの昇降を制御するエレベータ制御部を備え、建築物本体は、複数の第１かご室停止階と、第１かご室停止階とは異なる複数の第２かご室停止階とを有し、エレベータ制御部の運転モードには、第１かご室停止階に第１かご室のみを停止させ、第２かご室停止階に第２かご室のみを停止させるダブル運転モードが含まれており、階段は、第１かご室停止階間を互いに連絡する第１階段と、第２かご室停止階間を互いに連絡する第２階段とを有し、第１階段と第２階段との間は互いに分離されており、第１かご室停止階と第２かご室停止階との間で階段を利用した移動が規制されている。
また、この発明によるマルチデッキエレベータ付き建築物は、昇降路が設けられている建築物本体、第１かご室と第１かご室上に位置する第２かご室とを有し、昇降路内を昇降されるエレベータかご、及びエレベータかごの昇降を制御するエレベータ制御部を備え、建築物本体は、複数の第１かご室停止階と、第１かご室停止階とは異なる複数の第２かご室停止階とを有し、エレベータ制御部の運転モードには、第１かご室停止階に第１かご室のみを停止させ、第２かご室停止階に第２かご室のみを停止させるダブル運転モードが含まれており、第２かご室停止階とその下側に隣接する第１かご室停止階との階間距離である第１距離は全て同じであり、第２かご室停止階とその上側に隣接する第１かご室停止階との階間距離である第２距離は、少なくとも一部の階で変化されている。
さらに、この発明によるマルチデッキエレベータは、第１かご室と第１かご室上に位置する第２かご室とを有し、昇降路内を昇降されるエレベータかご、及びエレベータかごの昇降を制御するエレベータ制御部を備え、エレベータ制御部の運転モードには、複数の第１かご室停止階に対して第１かご室のみを停止させ、第１かご室停止階とは異なる複数の第２かご室停止階に対しては第２かご室のみを停止させるダブル運転モードが含まれており、第１かご室内及び第１かご室停止階の乗場の少なくともいずれか一方には、第１かご室停止階を行先階として指定するための複数の第１直接指定ボタンを有しかつ第２かご室停止階の直接的な指定を不可とした第１指定ボタン装置が設置されており、第２かご室内及び第２かご室停止階の乗場の少なくともいずれか一方には、第２かご室停止階を行先階として指定するための複数の第２直接指定ボタンを有しかつ第１かご室停止階の直接的な指定を不可とした第２指定ボタン装置が設置されており、第１指定ボタン装置には、第１直接指定ボタンと組み合わせて操作することにより第２かご室停止階を行先階として間接的に指定するための第１間接指定ボタンが設けられており、第２指定ボタン装置には、第２直接指定ボタンと組み合わせて操作することにより第１かご室停止階を行先階として間接的に指定するための第２間接指定ボタンが設けられている。
【図面の簡単な説明】  図１はこの発明の実施の形態１によるマルチデッキエレベータ付き建築物を示す概略の構成図、
図２は図１のマルチデッキエレベータ付き建築物の制御システムを示すブロック図、
図３は図１のような建築物本体の利用方法を別の見方で示す説明図、
図４はこの発明の実施の形態２によるマルチデッキエレベータ付き建築物の制御システムの要部を示すブロック図、
図５はこの発明の実施の形態３によるマルチデッキエレベータ付き建築物の制御システムを示すブロック図、
図６はこの発明の実施の形態４によるマルチデッキエレベータ付き建築物を示す概略の構成図、
図７はこの発明の実施の形態５によるマルチデッキエレベータ付き建築物を示す概略の構成図、
図８はこの発明の実施の形態６によるマルチデッキエレベータ付き建築物を示す概略の構成図、
図９は実施の形態１〜６のエレベータの下かご室に配置される下かご室ボタン装置の一例を示す正面図、
図１０は実施の形態１〜６のエレベータの上かご室に配置される上かご室ボタン装置の一例を示す正面図、
図１１は実施の形態１〜６のエレベータの下かご室停止階に配置される乗場ボタン装置の一例を示す正面図、
図１２は実施の形態１〜６のエレベータの上かご室停止階に配置される乗場ボタン装置の一例を示す正面図、
図１３はこの発明の実施の形態７によるマルチデッキエレベータの下かご室ボタン装置を示す正面図、
図１４は図１３のマルチデッキエレベータの上かご室ボタン装置を示す正面図である。
【発明を実施するための最良の形態】  以下、この発明の好適な実施の形態について図面を参照して説明する。
実施の形態１．
図１はこの発明の実施の形態１によるマルチデッキエレベータ付き建築物を示す概略の構成図である。図において、１８階建ての建築物本体１には、１階から１８階まで連続して垂直に延びる昇降路２が設けられている。昇降路２内には、エレベータかご３が配置されている。エレベータかご３は、主ロープ（図示せず）により昇降路２内に吊り下げられており、エレベータ駆動装置（巻上機）４の駆動力により昇降路２内を昇降される。
また、エレベータかご３は、第１かご室としての下かご室５と、下かご室５上に位置する第２かご室としての上かご室６と、下かご室５及び上かご室６を支持するかご枠（図示せず）とを有している。上かご室６及び下かご室５は、一体に昇降路２内を昇降される。
建築物本体１の入口は１階に位置しており、エレベータかご３の出発階（玄関階）は１階及び２階である。建築物本体１の１階と２階との間には、エスカレータ７が設置されている。
建築物本体１は、第１かご室停止階である複数の下かご室停止階１ａと、第２かご室停止階である複数の上かご室停止階１ｂとを含んでいる。下かご室停止階１ａと上かご室停止階１ｂとは、互いに異なる階である。即ち、下かご室停止階１ａは３階以上の奇数階、上かご室停止階１ｂは４階以上の偶数階としてそれぞれ設定されている。このため、下かご室停止階１ａと上かご室停止階１ｂとは、上下方向に交互に配置されている。
実施の形態１によるマルチデッキエレベータ（ここではダブルデッキエレベータ）は、基本的にダブル運転モードにより運転される。ダブル運転モードでは、下かご室停止階１ａに下かご室５のみが停止（着床）され、上かご室停止階１ｂに上かご室６のみが停止（着床）される。
また、実施の形態１では、建築物本体１の利用方法として、１つのテナント（会社又は団体等）が複数階に入居する場合、下かご室停止階１ａ及び上かご室停止階１ｂのいずれか一方のみに入居させている。
例えば、図１において、Ａ社は、上かご室停止階１ｂである１２階、１４階、１６階、１８階に入居している。また、Ｂ社は、下かご室停止階１ａである９階、１１階、１３階、１５階、１７階に入居している。さらに、Ｃ社は、上かご室停止階１ｂである８階、１０階に入居している。
図２は図１のマルチデッキエレベータ付き建築物の制御システムを示すブロック図である。エレベータ駆動装置４によるエレベータかご３の昇降は、エレベータ制御部１１により制御される。下かご室５には、第１かご室電気機器としての下かご室電気機器１２が搭載されている。上かご室６には、第２かご室電気機器としての上かご室電気機器１３が搭載されている。
下かご室電気機器１２及び上かご室電気機器１３としては、例えば照明装置、空調装置、ドアモータ、かごボタン装置、放送装置、ディスプレイ装置等が含まれている。
エレベータ制御部１１には、下かご室電気機器１２を制御する第１かご室制御部としての下かご室制御部１４、及び上かご室電気機器１３を制御する第２かご室制御部としての上かご室制御部１５が設けられている。
建築物本体１の下かご室停止階１ａ及び上かご室停止階１ｂ（ここでは３階〜１８階）には、電気設備１６がそれぞれ設置されている。電気設備１６としては、例えば照明装置、空調装置、入室管理装置、放送装置、又はディスプレイ装置等が挙げられる。
電気設備１６は、ビル設備制御部１７により制御される。ビル設備制御部１７は、対応する階の電気設備１６を制御する複数の階制御部１８と、下かご室停止階１ａに対応する階制御部１８を関連づけて制御する第１グループ制御部１９と、上かご室停止階１ｂに対応する階制御部２０を関連づけて制御する第２グループ制御部２０とを有している。
即ち、下かご室停止階１ａに設けられた電気設備１６を第１グループ、上かご室停止階１ｂに設けられた電気設備１６を第２グループとすると、第１及び第２グループ制御部１９，２０は、対応するグループ毎の電気設備１６を制御する。
例えば、第１及び第２グループ制御部１９，２０の制御対象となる電気設備１６が照明装置である場合、例えばオン・オフや明るさをグループ毎に一括して制御することができる。また、電気設備１６が空調装置である場合、例えばオン・オフや温度設定をグループ毎に一括して制御することができる。
さらに、電気設備１６が入室管理装置等のセキュリティシステム（セキュリティ機器）である場合、例えばセキュリティのレベル、ロックのオン・オフ、ＩＤ情報の管理等をグループ毎に一括して制御することができる。また、下かご室停止階１ａと上かご室停止階１ｂとで互いに異なるタイプのセキュリティシステムを設置し、それぞれをグループ毎に制御することができる。さらにまた、電気設備１６が放送装置である場合、例えばアナウンスや音楽（ＢＧＭ）をグループ毎に一括して制御することができる。
また、電気設備１６がディスプレイ装置である場合、例えば表示メッセージや表示映像をグループ毎に一括して制御することができる。即ち、あらゆる種類の電気設備１６について、下かご室５及び上かご室６に対応するグループ毎の制御を行うことができる。
このようなマルチデッキエレベータ付き建築物では、エレベータがダブル運転モードにより運転され、下かご室５及び上かご室６の停止階が基本的には固定されている。そして、下かご室停止階１ａと上かご室停止階１ｂとで電気設備１６がグループ分けされており、第１及び第２グループ制御部１９，２０によりグループ毎の制御が行われる。
従って、図１に示したように、下かご室停止階１ａと上かご室停止階１ｂとでテナントを分けて入居させるのが容易になる。そして、このような入居形態を採ることにより、同じ社内での移動に奇数階と偶数階との間の移動がなくなり、ダブル運転モードを継続実施することによる不便が解消される。また、ダブル運転モードを継続実施することにより、輸送能力が向上し、待ち時間が短縮される。このように、マルチデッキエレベータ付き建築物を、利用効率に優れ、テナントにとって快適性の高いものとすることができる。
また、下かご室５が対応する階と上かご室６が対応する階とが分離されるため、下かご室５の装飾と上かご室６の装飾とを互いに異なるものとすることができる。即ち、下かご室５の内装（かごドア、かご室壁パネル、かご室床、かご室天井、かご内照明等）の色や装飾を下かご室停止階１ａの乗場（乗場ドア、乗場壁、三方枠、乗場床、乗場照明等）の色や装飾と合わせ、上かご室６の内装の色や装飾を上かご室停止階１ｂの乗場の色や装飾と合わせることができる。
これにより、意匠性を向上させることができるとともに、乗客が誤った階で降りるのを防止することができる。また、エレベータの装飾をテナントの要望に近づけることができる。
ここで、図３は図１のような建築物本体１の利用方法を別の見方で示す説明図である。図３では、建築物本体１Ａに偶数階群が存在し、建築物本体１Ｂに奇数階群が存在しており、交通手段としてのマルチデッキエレベータが建築物本体１Ａ，１Ｂとで共同利用されている。このように、図１に示した建築物本体１の利用方法は、建築物の利用やエレベータの制御の面では、図３に示すような利用方法と同様であるとも言える。
なお、実施の形態１のエレベータ制御部１１では、基本的にはダブル運転モードが実施されるが、例えば車椅子利用者が２階に移動するのに手間がかかる場合やテナントの引越を行う場合など、特別の場合にはセミダブル運転モード等の他の運転モードに切り換えられるのが好適である。このため、例えば１階の乗場に車椅子利用者のための専用ボタンを配置し、専用ボタンを操作することにより、上かご室６が１階に停止するようにしてもよい。
さらに、ダブル運転モードの実施中に、偶数階と奇数階との間で移動をする場合、エレベータを利用して１階又は２階へ降り、エスカレータ７で１階と２階との間の移動を行い、再度エレベータで目的階へ移動すればよい。このような移動は、同テナント内での移動に比べて手間がかかるが、同テナント内での移動よりも通常は頻度が低いため問題はないと考えられる。
実施の形態２．
次に、図４はこの発明の実施の形態２によるマルチデッキエレベータ付き建築物の制御システムの要部を示すブロック図である。図において、ビル設備制御部の階制御部１８と第１及び第２グループ制御部１９，２０との間には、対応するテナント毎の電気設備１６（図２）を関連づけて制御するテナント制御部２１が設けられている。他の構成は、実施の形態１と同様である。
このような、マルチデッキエレベータ付き建築物では、奇数階グループ及び偶数階グループの少なくともいずれか一方の中に複数のテナントが存在している場合（例えば図１では、下かご室停止階１ａにＢ社とＣ社とが入居している）、テナント制御部２１により、テナント毎の電気設備１６の制御を実施することができる。また、実施の形態１と同様に、第１及び第２グループ制御部１９，２０により、下かご室停止階１ａのグループ及び上かご室停止階１ｂのグループのそれぞれについてグループ毎の電気設備１６の制御も実施することができる。
なお、図４では階制御部１８とグループ制御部１９，２０との間にテナント制御部２１を示したが、テナント制御部２１はグループ制御部１９，２０のいずれか一方のみに所属するので、グループ制御部１９，２０の一部としてグループ制御部１９，２０内にテナント制御部２１を設けると考えることもできる。
実施の形態３．
次に、図５はこの発明の実施の形態３によるマルチデッキエレベータ付き建築物の制御システムを示すブロック図である。図において、第１グループ制御部１９は、下かご室制御部１４に接続されている。下かご室制御部１４は、下かご室電気機器１２の少なくとも一部の機器について、第１グループ制御部１９からの情報に応じた制御を行う。
第２グループ制御部２０は、上かご室制御部１５に接続されている。上かご室制御部１５は、上かご室電気機器１３の少なくとも一部の機器について、第２グループ制御部２０からの情報に応じた制御を行う。他の構成は、実施の形態１と同様である。
例えば、第１及び第２グループ制御部１９，２０の制御対象となる電気設備１６が照明装置である場合、例えば下かご室５及び上かご室６内の照明のオン・オフや明るさを建築物本体１の照明装置と一括して制御することができる。また、電気設備１６が空調装置である場合、例えば下かご室５及び上かご室６内の空調装置のオン・オフや温度設定を建築物本体１の照明装置と一括して制御することができる。
さらに、電気設備１６が入室管理装置等のセキュリティシステムである場合、例えば下かご室５及び上かご室６内の行先階登録の許可と行先階での入室の許可とを一括して制御することなどができる。
具体例としては、下かご室５及び上かご室６内のかごボタン装置に、例えば暗唱入力装置、カードリーダ又は指紋照合装置等の個人情報入力装置を設けておき、個人情報入力装置で入力された情報に応じて、行先階登録の許可を判断するだけでなく、行先階での通行可能なドアの判断等を同時に行うものである。
さらにまた、電気設備１６が放送装置である場合、例えば下かご室５及び上かご室６内の放送装置で流すアナウンスや音楽（ＢＧＭ）を建築物本体１の放送装置と一括して制御することができる。
また、電気設備１６がディスプレイ装置である場合、例えば下かご室５及び上かご室６内のディスプレイ装置の表示メッセージや表示映像を建築物本体１のディスプレイ装置と一括して制御することができる。
このように、下かご室電気機器１２の制御と奇数階グループの電気設備１６の制御とを関連づけるとともに、上かご室電気機器１３の制御と偶数階グループの電気設備１６の制御とを関連づけることにより、図１に示したように、下かご室停止階１ａと上かご室停止階１ｂとでテナントを分けて入居させるのがより一層容易になる。従って、マルチデッキエレベータ付き建築物を、利用効率に優れ、テナントにとって快適性の高いものとすることができる。
なお、実施の形態３のビル設備制御部１７に、実施の形態２に示したテナント制御部２１を設けてもよい。
また、階制御部１８、第１及び第２グループ制御部１９，２０、及びテナント制御部２１の配置場所は特に限定されない。例えば、階制御部１８は、各階に配置しても制御室に集中して配置してもよい。
実施の形態４．
次に、図６はこの発明の実施の形態４によるマルチデッキエレベータ付き建築物を示す概略の構成図である。図において、上下に並んだ下かご室停止階１ａ間には、上かご室停止階１ｂを通過して延びる第１ダクト２２がそれぞれ設置されている。即ち、第１ダクト２２は、上かご室停止階１ｂを貫通している。第１ダクト２２には、複数の第１電気配線（図示せず）が収容されている。第１電気配線には、下かご室停止階１ａの階制御部１８（図２）に接続された信号ケーブルや電力ケーブル等が含まれている。
上下に並んだ上かご室停止階１ｂ間には、下かご室停止階１ａを通過して延びる第２ダクト２３がそれぞれ設置されている。即ち、第２ダクト２３は、下かご室停止階１ａを貫通している。第２ダクト２３には、複数の第２電気配線が収容されている。第２電気配線には、上かご室停止階１ｂの階制御部１８（図２）に接続された信号ケーブルや電力ケーブル等が含まれている。
第１電気配線と第２電気配線とは、互いに異なる配線系統に分離されている。例えば、図２に示すように、下かご室停止階１ａに設けられた階制御部１８及び電気設備１６は、第１電気配線の信号ケーブルを介して第１グループ制御部１９に接続されている。また、上かご室停止階１ｂに設けられた階制御部１８及び電気設備１６は、第２電気配線の信号ケーブルを介して第１グループ制御部１９に接続されている。
このようなマルチデッキエレベータ付き建築物では、下かご室停止階１ａ間に第１ダクト２２を設けるとともに、上かご室停止階１ｂ間に第２ダクト２３を設けたので、下かご室停止階１ａと上かご室停止階１ｂとで配線系統を容易に分離することができる。
従って、下かご室停止階１ａと上かご室停止階１ｂとでテナントを分けて入居させるのが容易になる。そして、このような入居形態を採ることにより、マルチデッキエレベータ付き建築物を、利用効率に優れ、テナントにとって快適性の高いものとすることができる。
実施の形態５．
次に、図７はこの発明の実施の形態５によるマルチデッキエレベータ付き建築物を示す概略の構成図である。図において、建築物本体１には、階段２４が設けられている。階段２４は、下かご室停止階１ａ間を互いに連絡する第１階段（図示せず）と、上かご室停止階１ｂ間を互いに連絡する第２階段２５とを有している。第１階段と第２階段２５との間は、互いに分離されており、通常は、下かご室停止階１ａと上かご室停止階１ｂとの間の階段２４を利用した移動が規制されている。
但し、第１階段と第２階段２５との間は、非常時には連絡可能となっている。具体的には、第１階段と第２階段２５との間に複数の扉（図示せず）が設けられており、火災検出信号等の非常信号に応じて扉が開放されるようになっている。
このようなマルチデッキエレベータ付き建築物では、下かご室停止階１ａ用の第１階段と上かご室停止階１ｂ用の第２階段２５とが互いに分離されており、下かご室停止階１ａと上かご室停止階１ｂとの間での移動が規制されているため、下かご室停止階１ａと上かご室停止階１ｂとでテナントを分けて入居させるのが容易になる。そして、このような入居形態を採ることにより、マルチデッキエレベータ付き建築物を、利用効率に優れ、テナントにとって快適性の高いものとすることができる。
また、第１階段と第２階段２５との間は、非常時には連絡可能となっているため、第１階段及び第２階段２５を避難階段として利用することもできる。
なお、実施の形態５では、第１階段と第２階段２５との間の扉が非常時に開放される例を示したが、例えば特定のキーによる操作や、通行管理システムの許可条件を満たすことにより、扉を開放するようにしてもよい。
また、通常時に使用する第１階段及び第２階段２５とは別に、非常時等に全ての階から利用可能な非常階段を設けてもよい。
実施の形態６．
次に、図８はこの発明の実施の形態６によるマルチデッキエレベータ付き建築物を示す概略の構成図である。図において、エレベータかご３は、基本的にダブル運転モードにより運転される。ダブル運転モードでは、奇数階に下かご室５のみが停止（着床）され、上かご室停止階１ｂに上かご室６のみが停止（着床）される。
上かご室停止階（偶数階）１ｂとその下側に隣接する下かご室停止階（奇数階）１ａとの階間距離である第１距離（ａ）は、全ての階で同じである。また、上かご室停止階１ｂ（偶数階）とその上側に隣接する下かご室停止階１ａ（奇数階群）との階間距離である第２距離は、少なくとも一部の階で変化されている。即ち、２階と３階との間の第２距離（ｂ１）及び８階と９階との間の第２距離（ｂ２）は、他の階の第２距離（ｂ０）よりも大きくなっている。
このようなマルチデッキエレベータ付き建築物では、第１距離を一定としつつ、第２距離の一部を変化させたので、第１かご室５と第２かご室６との間の距離を変化させずに、階間距離の一部を変化させることができる。これにより、上かご室停止階１ｂの天井高を高くすることができ、設計の自由度を向上させ、顧客のニーズに応えることができる。また、利用者の快適性を向上させることができる。
また、１階と２階とを吹き抜けのロビーにすることもでき、玄関の天井高さを建築家の望む高さに設計することができる。
なお、実施の形態６では、電気設備の制御、電気配線の配置、及び階段の配置等について特に説明していないが、上記実施の形態１〜５の少なくともいずれか１つと実施の形態６とを組み合わせることにより、利用者の快適性をさらに向上させることができる。
ここで、図９は実施の形態１〜６のエレベータの下かご室に配置される下かご室ボタン装置の一例を示す正面図、図１０は上かご室に配置される上かご室ボタン装置の一例を示す正面図である。
下かご室ボタン装置３１には、下かご室停止階１ａを行先階として指定（登録）するための複数の奇数階指定ボタン３２が配置されている。また、下かご室ボタン装置３１には、上かご室停止階１ｂを指定するためのボタンは設けられておらず、上かご室停止階１ｂの直接的な指定は不可となっている。
奇数階指定ボタン３２の下方には、１階を行先階として指定するための１階指定ボタン３３が配置されている。１階指定ボタン３３の下方には、ドア開ボタン３４及びドア閉ボタン３５が配置されている。
上かご室ボタン装置４１には、上かご室停止階１ｂを行先階として指定するための複数の偶数階指定ボタン４２が配置されている。また、上かご室ボタン装置４１には、下かご室停止階１ａを指定するためのボタンは設けられておらず、下かご室停止階１ａの直接的な指定は不可となっている。
偶数階指定ボタン４２の下方には、１階を行先階として指定するための１階指定ボタン４３と、２階を行先階として指定するための２階指定ボタン４４とが配置されている。１階指定ボタン４３及び２階指定ボタン４４の下方には、ドア開ボタン４５及びドア閉ボタン４６が配置されている。
このように、下かご室ボタン装置３１では、上かご室停止階１ｂの直接的な指定は不可となっており、上かご室ボタン装置４１では、下かご室停止階１ａの直接的な指定が不可となっているため、下かご室５及び上かご室６が停止する階を乗客により明確に理解させることができる。
また、上かご室６は、基本的には、２階を出発階として上かご室停止階１ｂのみに停止される。但し、上かご室ボタン装置４１には、１階指定ボタン４３も設けられている。これにより、例えばオフピーク時には、上かご室６の１階への停止を許可するような制御方法の実施も可能となる。
次に、図１１は実施の形態１〜６のエレベータの下かご室停止階に配置される乗場ボタン装置の一例を示す正面図、図１２は上かご室停止階に配置される乗場ボタン装置の一例を示す正面図である。
下かご室停止階１ａの乗場に配置される乗場ボタン装置５１には、上方向ボタン５２、下方向ボタン５３及び１階指定ボタン５４が設けられている。
上かご室停止階１ｂの乗場に配置される乗場ボタン装置５５には、上方向ボタン５６、下方向ボタン５７、２階指定ボタン５８及び１階指定ボタン５９が設けられている。
このような乗場ボタン装置５１，５５によれば、行先階が玄関階である１階又は２階である場合、かご３を乗場へ移動させるための登録と行先階の登録とを乗場で行うことができ、乗客の利便性を向上させることができる。また、行先階が１階又は２階である場合には、乗客がかご３に乗る前に行先階が分かるため、群管理による輸送効率を向上させることができる。
また、ダブル運転モードでは、上かご室停止階１ｂに対応する玄関階は２階であるが、乗場ボタン装置５５に１階指定ボタン５９を設けておくことにより、上かご室６を１階に停止させる制御をオプションで行った場合に、上かご室停止階１ｂから１階の行先階登録を行うことが可能となる。
なお、乗場ボタン装置５５の１階指定ボタン５９が有効であるかどうかを乗客に知らせるためには、例えば、１階指定ボタン５９の有効時には全てのボタン５６〜５９の周囲を点灯させ、無効時には１階指定ボタン５９のみ周囲を消灯させる等の方法がある。また、１階指定ボタン５９の近傍に有効・無効を示す表示手段を配置してもよい。
実施の形態７．
次に、図１３はこの発明の実施の形態７によるマルチデッキエレベータの下かご室ボタン装置を示す正面図、図１４は図１３のマルチデッキエレベータの上かご室ボタン装置を示す正面図である。実施の形態７のマルチデッキエレベータは、実施の形態１〜６と同様に、基本的にはダブル運転モードにより運転される。ここでは、実施の形態１（図１）のエレベータに図１３及び図１４のボタン装置を適用するものとして説明する。
下かご室ボタン装置（第１指定ボタン装置）３１には、奇数階指定ボタン（第１直接指定ボタン）３２、１階指定ボタン３３、ドア開ボタン３４及びドア閉ボタン３５が設けられている。
また、奇数階指定ボタン３２の上方には、奇数階指定ボタン３２と組み合わせて操作することにより上かご室停止階１ｂを行先階として間接的に指定するための第１間接指定ボタン３６が配置されている。具体的には、奇数階指定ボタン３２と第１間接指定ボタン３６とを組み合わせて操作することにより、奇数階指定ボタン３２で選んだ階の１階上の上かご室停止階１ｂが行先階として指定される。
上かご室ボタン装置（第２指定ボタン装置）４１には、偶数階指定ボタン（第２直接指定ボタン）４２、１階指定ボタン４３、２階指定ボタン４４、ドア開ボタン４５及びドア閉ボタン４６が設けられている。
また、偶数階指定ボタン４２の上方には、偶数階指定ボタン４２と組み合わせて操作することにより下かご室停止階１ａを行先階として間接的に指定するための第２間接指定ボタン４７が設けられている。具体的には、偶数階直接指定ボタン４２と第２間接指定ボタン４７とを組み合わせて操作することにより、偶数階直接指定ボタン４２で選んだ階の１階上の下かご室停止階１ａが行先階として指定される。
このようなマルチデッキエレベータでは、下かご室ボタン装置３１に第１間接指定ボタン３６が設けられており、上かご室ボタン装置４１に第２間接指定ボタン４７が設けられているため、これらの間接指定ボタン３６，４７からの入力を有効とすることにより、下かご室５を上かご室停止階１ｂに停止させたり、上かご室６を下かご室停止階１ａに停止させたりするような制御の実施が可能となる。
即ち、実施の形態７のボタン装置３１，４１を用いることにより、ダブル運転モードにおける指定可能な行先階をより明瞭にしつつ、制御方法の選択肢を増やすことができ、利用者の快適性を向上させることができる。
なお、実施の形態７では、実施の形態１のエレベータに適用した場合について説明したが、実施の形態２〜６のエレベータに適用してもよい。また、実施の形態１〜６以外のマルチデッキエレベータに適用することもできる。
また、実施の形態７では、第１及び第２指定ボタン装置として下かご室ボタン装置３１及び上かご室ボタン装置４１を示したが、乗場に設けられるボタン装置にもこの発明は適用できる。即ち、下かご室停止階１ａの乗場に図１３と同様のボタン装置を設置し、上かご室停止階１ｂの乗場に図１４と同様のボタン装置を設置してもよい。これにより、乗場で行先階の指定を実施することができる。
さらに、上記実施の形態では、２個のかご室を有するダブルデッキエレベータについて示したが、３個以上のかご室を有するマルチデッキエレベータにもこの発明は適用できる。
さらにまた、上記実施の形態では、玄関階、第１かご室停止階及び第２かご室停止階のみで構成される建築物本体を示したが、建築物本体の一部には、第１かご室及び第２かご室の両方が停止する共通停止階や、いずれのかご室も停止しない階が含まれていてもよい。
また、建築物本体の階数は特に限定されるものではなく、地下に複数の階が設けられているものであってもよい。
さらに、玄関階は、１階及び２階に限定されるものではなく、地下階や３階以上の階であってもよい。
さらにまた、上記の例では第１かご室停止階が奇数階、第２かご室停止階が偶数階であるが、逆であってもよい。
また、上記の例では第１かご室停止階と第２かご室停止階とが交互に配置されているが、必ずしも交互でなくてもよく、例えば一部で第１かご室停止階が連続していてもよい。また、かごに３個のかご室が設けられている場合には、通常、第２かご室停止階と第１かご室停止階との間に第３かご室停止階が位置することになる。
【図１】
2005051828.tif 000003
【図２】
2005051828.tif 000004
【図３】
2005051828.tif 000005
【図４】
2005051828.tif 000006
【図５】
2005051828.tif 000007
【図６】
2005051828.tif 000008
【図７】
2005051828.tif 000009
【図８】
2005051828.tif 000010
【図９】
2005051828.tif 000011
【図１０】
2005051828.tif 000012
【図１１】
2005051828.tif 000013
【図１２】
2005051828.tif 000014
【図１３】
2005051828.tif 000015
【図１４】
2005051828.tif 000016
【国際調査報告】
2005051828.tif 000017
2005051828.tif 000018
2005051828.tif 000019
2005051828.tif 000020